(57)【特許請求の範囲】
【請求項１】
ワークパレット外枠の内側に角パイプからなる梁部材を前記角パイプの稜線を上方向にして格子状に組合わせた中間骨組を設け、該中間骨組上に前記角パイプの形状に合わせた複数の屋根形の遮光カバーを前記角パイプとの間に細径のスペーサーを介して着脱可能に載置し、該遮光カバーと前記中間骨組との間に断熱用の空気層を形成すると共に、前記ワークパレット外枠に該ワークパレットの移送を容易にする車輪を設けてなることを特徴とするレーザ加工機用ワークパレット。
【請求項２】
ワークパレット外枠の内側に角パイプからなる梁部材を前記角パイプの稜線を上方向にして格子状に組合わせた中間骨組を設け、前記角パイプの形状に合わせて一体的に構成した屋根形の遮光カバーを支持する遮光カバー支持部材を前記ワークパレット外枠に設け、該遮光カバーを前記中間骨組上に着脱可能に載置し、該遮光カバーと前記中間骨組との間に断熱用の空気層を形成すると共に、前記ワークパレット外枠に該ワークパレットの移送を容易にする車輪を設けてなることを特徴とするレーザ加工機用ワークパレット。
【発明の詳細な説明】
【０００１】
【発明の属する技術分野】
本発明はレーザー加工機用ワークパレットに関する。
【０００２】
【従来の技術】
レーザー加工の自動化を図るため、レーザー加工装置で加工されるワークの一枚をワークパレット上に予め取り付け、レーザー加工装置に隣接した位置に設置したパレット棚に、この様にワークを取り付けたワークパレットを複数個収納しておき、加工時に必要なワークを取り付けたワークパレットを、パレット棚から取り出してレーザー加工装置に供給すると共に、加工が終了したワークパレットを前記パレット棚に収納するという方法が従来から実施されている。
【０００３】
上述の方法において使用する従来のワークパレット１００は、例えば図７、図８に示す様に、４辺をＣ型鋼１０１で枠組みし、この枠組みの内側に４角形のパイプ材１０３をパイプの稜線１０５を上面にして格子状に組合わせて溶接した一体的骨組み構造となっている。なお、ワークパレットの両側面には前記パレット棚へワークパレット１００を出入れを容易にするための車輪１０７が設けてある。
【０００４】
【発明が解決しようとする課題】
上述のワークパレット上に載置されたワークをレーザー加工する場合、ワークの切断部分を通過したレーザー光が、前記骨組み構造部に照射され、この骨組み構造部が熱膨脹してワークパレットが歪み、ワークパレット上に載置されたワークが切断が不能になったり、切断不良を生じたりするという問題がある。
【０００５】
本発明は上述の如き問題を解決するために成されたものであり、本発明の課題は、一体的骨組み構造のワークパレットにおいて、ワークパレットの骨組み構造がレーザー光によって熱膨脹しないレーザー加工機用ワークパレットを提供することである。
【０００６】
【課題を解決するための手段】
上記課題を解決する手段として、請求項１に記載のレーザ加工機用ワークパレットは、ワークパレット外枠の内側に角パイプからなる梁部材を前記角パイプの稜線を上方向にして格子状に組合わせた中間骨組を設け、該中間骨組上に前記角パイプの形状に合わせた複数の屋根形の遮光カバーを前記角パイプとの間に細径のスペーサーを介して着脱可能に載置し、該遮光カバーと前記中間骨組との間に断熱用の空気層を形成すると共に、前記ワークパレット外枠に該ワークパレットの移送を容易にする車輪を設けてなることを要旨とするものである。
【０００７】
したがって、ワークパレットの中間骨組上に載置されたワークをレーザ加工するとき、ワークの切断部分を通過したレーザ光は遮光カバーに照射され、中間骨組には照射されないので、中間骨組が熱膨張してワークパレット全体が歪み、ワークパレット上に載置されたワークが切断不能になったり、切断不良を生じたりすることがない。また、遮光カバーの温度が上昇しても、遮光カバーと中間骨組との間の空気層の断熱効果により梁部材である角パイプに熱がほとんど伝達されない。さらに、ワークパレットには車輪が設けてあるのでワークパレットのパレット棚への収納または搬出が容易である。
【０００８】
請求項２に記載のレーザ加工機用ワークパレットは、ワークパレット外枠の内側に角パイプからなる梁部材を前記角パイプの稜線を上方向にして格子状に組合わせた中間骨組を設け、前記角パイプの形状に合わせて一体的に構成した屋根形の遮光カバーを支持する遮光カバー支持部材を前記ワークパレット外枠に設け、該遮光カバーを前記中間骨組上に着脱可能に載置し、該遮光カバーと前記中間骨組との間に断熱用の空気層を形成すると共に、前記ワークパレット外枠に該ワークパレットの移送を容易にする車輪を設けてなることを要旨とするものである。
【０００９】
したがって、請求項１と同一の作用効果に加えて、この遮光カバーは一体的に構成されているので、中間骨組みへの着脱が極めて容易である。しかし、遮光カバーの重量的面を考慮すれば、着脱が困難でない程度の比較的小型のワークパレットに適している。
【００１２】
【発明の実施の形態】
以下に本発明の実施の形態について図面を参照しながら説明する。図１は本発明に係わるレーザー加工機用ワークパレットの斜視図であり、図２は図１のＩＩ−ＩＩ線に沿って見た断面図である。
【００１３】
図１および図２を参照するに、ワークパレット１の主たる構成は、ワークパレットの外枠３と、該外枠３の内側に設けた中間骨組５と、該中間骨組５の上部に載置した複数の遮光カバー７Ａなどから成っている。
【００１４】
前記ワークパレットの外枠３は、例えば、Ｃ型鋼を長方形に枠組みして溶接した構造としてある。また、前記中間骨組５は、梁部材９を格子状に組合わせて溶接した溶接構造としてある。なお、梁部材９には、断面が四角形のパイプ材を使用し、この四角形のパイプ材の稜線１１が上方向に来るように組合わせるのが望ましい。
【００１５】
前記中間骨組５の梁部材９の直上には、レーザー光ＬＢを遮光するための前記遮光カバー７Ａが裏面に設けたスペーサー１３を介して載置してある。前記遮光カバー７Ａの形状は、前記梁部材９に使用した四角形のパイプに合わせて屋根形に形成してある。前記スペーサー１３は熱の伝導を少なくするためにできるだけ細径にすることが望ましい。
【００１６】
なお、ワークパレットの両側面にはワークパレット１を移送するときに容易にするための車輪１５が設けてある。
【００１７】
図３を参照するに、上記の如く構成されたワークパレット１によれば、このワークパレット１上に載置されたワークＷを、図示しないレーザー加工機でレーザー加工する場合、レーザー加工ヘッド（図示省略）からのレーザー光ＬＢは、この遮光カバー７Ａが遮断する。また、遮光カバー７Ａの温度が上昇しても遮光カバー７Ａと梁部材９との間の空気層１７の断熱効果により梁部材９に熱がほとんど伝達されない。なお、前記スペーサー１３を介しての梁部材９への熱の伝達は微小なので無視することができる。
【００１８】
したがって、梁部材９で構成される中間骨組５は熱膨張しない。すなわち、ワークパレット１は熱変形することがなく、ワークパレット上に載置されたワークが切断が不能になったり、切断不良を生じたりするということがない。
【００１９】
上述のワークパレット１を使用してレーザー加工を行った時、前記遮光カバー７Ａに穴が明いた場合でも、図３に示す如く、アシストガスの流れは前記空気層１７によって分散させられて梁部材９に十分供給されず、梁部材９が切断されることを防止することができる。
【００２０】
図４は、ワークパレット１の第２の実施形態を示したものであり、前記スペーサー１３に代えて、遮光カバー７Ｂにねじ穴を設けこのねじ穴に雄ねじ１９を螺合させて遮光カバー７Ｂを梁部材９上に載置したものである。
【００２１】
図５および図６は、ワークパレット１の第３の実施形態を示したものであり、遮光カバー７Ｃは、ワークパレットの外枠３の内側に設けた中間骨組５の梁部材９の配列に合わせて、断面が山形の部材を格子状に組合わせて一体的に溶接して構成し、この遮光カバー７Ｃをワークパレット１の外枠３の周囲に設けた複数の遮光カバー支持部材２１上に載置したものである。この遮光カバー支持部材２１は、前記遮光カバー７Ｃが角パイプからなる梁部材９のやや上方の位置に支持される様に設けてある。この遮光カバー７Ｃは一体的に構成されているので、中間骨組５の梁部材９への着脱が極めて容易である。しかし、遮光カバー７Ｃの重量的な面を考慮すれば、遮光カバーの着脱が困難でない程度の比較的小型のワークパレットに適している。
【００２２】
【発明の効果】
請求項１または請求項２の発明によれば、ワークパレットにレーザ光が照射されても、ワークパレットが熱膨張によって変形しないので、ワークパレット上に載置されたワークが切断不能になったり、切断不良を生じたりするということがない。さらに、ワークパレットには車輪が設けてあるのでワークパレットのパレット棚への収納または搬出が容易である。また、請求項２の発明によれば、着脱が困難でない程度の比較的小型のワークパレットにおいては、遮光カバーが一体的に構成されているので中間骨組みへの着脱が極めて容易である。
【図面の簡単な説明】
【図１】本発明に係わるレーザー加工機用ワークパレットの斜視図。
【図２】図１のＩＩ−ＩＩ線に沿って見た断面図
【図３】ワークパレットの遮光カバーがレーザー光により穴が明いた場合の空気層の作用の説明図。
【図４】ワークパレットの第２の実施形態を示した図。
【図５】ワークパレットの第３の実施形態を示したもので、ワークパレットの一部分の平面図。
【図６】ワークパレットの第３の実施形態を示したもので、図５の部分的正面図。
【図７】従来のワークパレットの平面図。
【図８】図７の従来のワークパレットの正面図。
【符号の説明】
１  ワークパレット
３  外枠
５  中間骨組
７  遮光カバー
９  梁部材
１１  稜線
１３  スペーサー
１５  車輪
１７  空気層
２１  遮光カバー支持部材
【図１】
0003630848.tif 000002
【図２】
0003630848.tif 000003
【図３】
0003630848.tif 000004
【図４】
0003630848.tif 000005
【図５】
0003630848.tif 000006
【図６】
0003630848.tif 000007
【図７】
0003630848.tif 000008
【図８】
0003630848.tif 000009